(57)【要約】【課題】従来のガス遮断装置では、熱量転換や設置・交換時に現在使用中のガス種と異なる気体の混合で不均一なガス層ができ、超音波の伝搬が乱れることで、想定外の流量検出をして流量異常やセンサ異常の誤判定をすることがあった。【解決手段】閉栓計時部１４が流量異常やセンサ異常で出力される弁閉信号を基に計時を開始し、設定時間以内に外部から解除入力を受取れば弁駆動部１２に開栓信号を出力することで、熱量転換やの設置・交換時に現在使用中のガス種と異なる気体の混合で不均一なガス層ができ、超音波の伝搬が乱れることで、想定外の流量検出をして流量異常やセンサ異常の誤判定をして閉栓した時であっても、一定時間以内であれば誤判定を解除してガスの再使用を可能にできる。【選択図】図１
2010145030.tif 000002
【特許請求の範囲】
【請求項１】
ガス通路内を通過するガス流量に対応して流量信号を出力する流量検出部と、前記流量検出部の前記流量信号を受取ると流量を算出する流量算出部と、前記流量算出部の前記流量を受取ると予め保持している判定値と比較し異常であれば弁閉信号を出力する異常流量判定部と、前記異常流量判定部の前記弁閉信号または閉栓計時部および復帰入力部の弁開信号あるいはセンサ異常判定部の前記弁閉信号を受取ると弁駆動信号を出力する弁駆動部と、前記弁駆動部の前記弁駆動信号を受取るとガス通路を開栓または閉栓する弁と、前記弁駆動部の前記閉栓信号を基点に計時を開始して予め定めた設定時間以内に外部より解除入力を受付けると前記弁開信号を出力する閉栓計時部と、外部より復帰入力を受け付けると前記弁開信号を出力する前記復帰入力部と、前記流量検出部の前記流量信号が予め定めた異常条件に合致するかどうかの異常判定を実施し異常成立時に前記弁閉信号を出力する前記センサ異常判定部とを備え、前記異常流量判定部および前記センサ異常判定部が測定条件想定外の前記流量信号を異常と判定して閉栓した場合において、閉栓後の一定時間内に解除入力を受取ると開栓を行うことを特徴としたガス遮断装置。
【請求項２】
予め設定する解除入力を受付け可能な時間を外部より変更できる閉栓計時部を備えた請求項１記載のガス遮断装置。
【請求項３】
予め設定した解除入力を受付け可能な時間内でありかつ、解除入力の受付け回数が予め定めた設定回数より少ない時にのみ解除入力を受付ける閉栓計時部を備えた請求項１記載のガス遮断装置。
【請求項４】
予め設定する解除入力の受付け回数を外部より変更できる閉栓計時部を備えた請求項３記載のガス遮断装置。
【請求項５】
解除入力を受付けて弁開信号を出力したことを表示信号として出力する閉栓計時部を備えた請求項１〜４のいずれか１項記載のガス遮断装置。
【請求項６】
解除入力を受付けて弁開信号を出力した情報を外部に出力する閉栓計時部を備えた請求項１〜４のいずれか１項記載のガス遮断装置。
【発明の詳細な説明】
【技術分野】
【０００１】
本発明は、例えば都市ガスやＬＰガス等の熱量転換や設置・交換等のような現在使用中のガス種と異なる気体が混合する時に生じる、流量異常やセンサ異常の誤判定による閉栓を再使用可能にするガス遮断装置に関する。
【背景技術】
【０００２】
従来この種のガス遮断装置は、図２に示すようにガス通路内を通過するガス流量に対応して流量信号ａを出力する流量検出部１と、前記流量信号ａを受取ると流量ｂを算出する流量算出部２と、前記流量ｂを受取ると予め保持している判定値と比較し異常であれば弁閉信号ｃを出力する異常流量判定部３と、前記異常流量判定部３の前記弁閉信号ｃまたは復帰入力部８の弁開信号ｅあるいはセンサ異常判定部６の前記弁閉信号ｃを受取ると弁駆動信号ｄを出力する弁駆動部４と、前記弁駆動信号ｄを受取るとガス通路を開栓または閉栓する弁５と、前記流量検出部１の前記流量信号ａが予め定められた異常条件に合致するかどうかの異常判定を実施し異常成立時にのみ前記弁閉信号ｃを出力する前記センサ異常判定部６と、前記流量算出部２の前記流量ｂを積算して保持する積算部７と、外部より復帰入力を受付けると前記弁開信号ｅを出力する前記復帰入力部８とから構成されていた（例えば特許文献１参照）。
【特許文献１】特許第３６２４６４２号公報
【発明の開示】
【発明が解決しようとする課題】
【０００３】
しかしながら上記従来のガス遮断装置では、流量検出部１で検出した流量信号ａに基づき、異常流量判定、センサ異常判定、積算を実施するようにしているので、熱量転換やガス遮断装置の設置・交換等のように現在使用中のガス種と異なる気体が混合する時に不均一なガス層が出来て、超音波の伝搬が、ガスが均一になっている時と異なる伝搬をして測定条件想定外の流量を検出する可能性があった。このことで、流量やセンサが正常にもかかわらず流量異常やセンサ異常と判定して閉栓することがあった。ガス遮断装置の安全性を確保するために弁駆動部４は流量異常やセンサ異常では復帰入力部８からの弁開信号Ｃを受付けないようにしているために装置が正常であってもガスが使用できなくなる場合があるという課題を有していた。
【課題を解決するための手段】
【０００４】
本発明のガス遮断装置は上記課題を解決するために、閉栓計時部１４は弁駆動部１２が異常流量判定部１１およびセンサ異常判定部１５の弁閉信号Ｃを受取り弁１３に閉栓信号を出力することを受けて計時を開始する。そして、閉栓計時部１４は予め定めた設定時間以内に外部から解除入力を受取れば弁駆動部１２に開栓信号を出力する。このことで、測定条件想定外の流量信号に基づく異常判定で閉栓してガスが使用できない時、閉栓後の一定時間内に解除信号を受取ると開栓を行うようにしたものである。これによって、熱量転換やガス遮断装置の設置・交換等のように現在使用中のガス種と異なる気体が混合する時に不均一なガス層が出来て、超音波の伝搬がガスが均一になっている時と異なる伝搬をして測定条件想定外の流量を検出し、流量異常やセンサ異常と誤判定をして閉栓した時であっても、一定時間以内であれば誤判定を解除許可して、ガスの再使用を可能する。
【発明の効果】
【０００５】
本発明のガス遮断装置は、熱量転換やガス遮断装置の設置・交換等のように現在使用中のガス種と異なる気体が混合する時に不均一なガス層が出来て、超音波の伝搬がガスが均一になっている時と異なる伝搬をして測定条件想定外の流量を検出し、流量異常やセンサ
異常と誤判定をして閉栓した時であっても、一定時間以内であれば誤判定を解除許可して、ガスを再使用可能にできる。このことで、熱量転換やガス遮断装置の設置・交換等の工事中に流量異常やセンサ異常と誤判定が発生した場合であっても工事作業者が解除入力を行うことで工事を継続することができる。また、真に流量異常やセンサ異常が発生した場合には工事作業者が介さないために解除入力を受付けることはなく、異常判定後の一定時間以降に解除入力を受付けても流量異常やセンサ異常は解除されないのでガス遮断装置の安全性は確保される。
【発明を実施するための最良の形態】
【０００６】
第１の発明は、ガス通路内を通過するガス流量に対応して流量信号を出力する流量検出部と、前記流量検出部の前記流量信号を受取ると流量を算出する流量算出部と、前記流量算出部の前記流量を受取ると予め保持している判定値と比較し異常であれば弁閉信号を出力する異常流量判定部と、前記異常流量判定部の前記弁閉信号または閉栓計時部および復帰入力部の弁開信号あるいはセンサ異常判定部の前記弁閉信号を受取ると弁駆動信号を出力する弁駆動部と、前記弁駆動部の前記弁駆動信号を受取るとガス通路を開栓または閉栓する弁と、前記弁駆動部の前記閉栓信号を基点に計時を開始して予め定めた設定時間以内に外部より解除入力を受付けると前記弁開信号を出力する閉栓計時部と、外部より復帰入力を受付けると前記弁開信号を出力する前記復帰入力部と、前記流量検出部の前記流量信号が予め定めた異常条件に合致するかどうかの異常判定を実施し異常成立時に前記弁閉信号を出力する前記センサ異常判定部とを備え、前記異常流量判定部および前記センサ異常判定部が測定条件想定外の前記流量信号を異常と判定して閉栓した場合において、閉栓後の一定時間内に解除入力を受取ると開栓を行うことにより、熱量転換やガス遮断装置の設置・交換等のように現在使用中のガス種と異なる気体が混合する時に不均一なガス層が出来て、超音波の伝搬がガスが均一になっている時と異なる伝搬をして測定条件想定外の流量を検出し、流量異常やセンサ異常と誤判定をして閉栓した時であっても、一定時間以内であれば誤判定を解除許可して、ガスを再使用可能にできる。このことで、熱量転換やガス遮断装置の設置・交換等の工事中に流量異常やセンサ異常と誤判定が発生した場合であっても工事作業者が解除入力を行うことで工事を継続することができる。また、真に流量異常やセンサ異常が発生した場合には工事作業者が介さないために解除入力を受付けることはなく、異常判定後の一定時間以降に解除入力を受付けても流量異常やセンサ異常は解除されないのでガス遮断装置の安全性は確保される。
【０００７】
第２の発明は、予め設定する解除入力を受付け可能な時間を外部より変更できる閉栓計時部とすることにより、ガス遮断装置を製造した後に、熱量転換やガス遮断装置の設置・交換等の工事時間に見合った適切な時間に変更が可能となる。このことで熱量転換やガス遮断装置の設置・交換等の工事中に流量異常やセンサ異常の誤判定を解除ができない事例が発生した場合は、設定値を長くすることでこの種の問題を低減できる。また、解除入力を受付け可能な時間を必要以上に長く設定しなくても良くなり、真に流量異常やセンサ異常が発生した場合の異常判定についても早期に判断可能となり、ガス遮断装置の安全性は向上する。
【０００８】
第３の発明は、予め設定した解除入力を受付け可能な時間内でありかつ、解除入力の受付け回数が予め定めた設定回数より少ない時にのみ解除入力を受付ける閉栓計時部とすることにより、真に流量異常やセンサ異常が発生している場合は、異常判定を解除しても何度も異常判定を繰返すことから、予め定めた設定回数より少ない時にのみ解除入力を受付けることで早期に異常判断することが可能となり、ガス遮断装置の安全性は向上する。
【０００９】
第４の発明は、予め設定する解除入力の受付け回数を外部より変更できる閉栓計時部とすることにより、ガス遮断装置を製造した後に、熱量転換やガス遮断装置の設置・交換等の工事に見合った適切な解除入力の受付け回数に変更が可能となる。このことで熱量転換
やガス遮断装置の設置・交換等の工事中に流量異常やセンサ異常の誤判定を解除ができない事例が発生した場合は、設定値を多くすることでこの種の問題を低減できる。また、解除入力の受付け回数を必要以上にしなくても良く、真に流量異常やセンサ異常が発生した場合の異常判定についても早期に判断可能となり、ガス遮断装置の安全性は向上する。
【００１０】
第５の発明は、解除入力を受付けて弁開信号を出力したことを表示信号として出力する閉栓計時部とすることにより、この表示を工事業者等が見ると流量異常やセンサ異常が発生したことや解除入力を受付けて開栓していること、解除入力を受付けた回数等が認知できる。このことで、閉栓が誤判定で発生しているのか、真に流量異常やセンサ異常が原因で発生しているのか、流量異常やセンサ異常以外で発生しているのか等を工事業者等が判断することが可能となる。
【００１１】
第６の発明は、解除入力を受付けて弁開信号を出力した情報を外部に出力する閉栓計時部とすることにより、この情報を知ることで流量異常やセンサ異常が発生したことや解除入力を受付けて開栓していること、解除入力を受付けた回数等をリアルタイムで知ることが可能となる。このことで、工事に立ち会っていなくても閉栓が誤判定で発生しているのか、真に流量異常やセンサ異常が原因で発生しているのか、流量異常やセンサ異常以外で発生しているのか等を判断することが可能となる。
【００１２】
以下、本発明の実施の形態について、図面を参照しながら説明する。なお、この実施の形態によって本発明が限定されるものではない。
【００１３】
（実施の形態１）
図１は本発明の第１の実施の形態における器具監視装置の制御ブロック図を示すものである。第１図において９は流量検出部でありガス通路内を通過するガス流量に対応した流量信号を出力する。１０は流量算出部であり前記流量信号を基に流量を算出する。１１は異常流量判定部であり異常流量検出時に弁閉信号を出力する。１２は弁駆動部であり弁開信号、弁閉信号入力を基に弁駆動信号を行う。１３は弁であり弁駆動部１２から弁駆動信号を受取るとガス通路の開栓または閉栓を行う。１４は閉栓計時部であり弁駆動部１２からの閉栓信号を基に計時を開始する。１５はセンサ異常判定部であり流量信号の異常時に弁閉信号を出力する。１６は積算部であり流量を積算して保持する。１７は復帰入力部であり外部より復帰入力を受付けると弁開信号を出力する。１８は表示部であり工事業者等に流量異常やセンサ異常等の情報を提供するように設けられている。
【００１４】
次に動作、作用について説明すると、流量検出部９はガス通路内を通過するガス流量に対応して流量信号Ａを出力する。流量信号Ａを受取ると流量算出部１０は流量Ｂを算出して出力する。異常流量判定部１１は前記流量Ｂを受取ると予め保持している判定値と比較し異常であれば弁閉信号Ｃを出力する。弁駆動部１２は異常流量判定部１１の弁閉信号Ｃまたは閉栓計時部１４および復帰入力部１７の弁開信号Ｅあるいはセンサ異常判定部１５の弁閉信号Ｃを受取ると弁駆動信号Ｄを出力する。ただし、ガス遮断装置の安全性を確保するために流量異常やセンサ異常では復帰入力部１７からの弁開信号Ｃを受付けないようにしている。弁１３は弁駆動部１２の弁駆動信号Ｄを受取るとガス通路を開栓または閉栓する。また、閉栓計時部１４は前記弁駆動信号Ｄの閉栓信号のみを受付けて計時を開始する。そして、予め定めた設定時間以内に外部より解除入力（例えば、工事業者等のみが知る操作や、外部通信による復帰信号）を受付けると弁開信号Ｅを出力する。復帰入力部１７は外部より復帰入力を受け付けると前記弁開信号Ｅを出力する。センサ異常判定部１５は流量検出部９の流量信号Ａが予め定めた異常条件に合致するかどうかの異常判定を実施し異常成立時に弁閉信号Ｃを出力する。異常流量判定部１１およびセンサ異常判定部１５が測定条件想定外の流量信号Ａを異常と判定して閉栓した場合において、閉栓後の一定時間内に解除入力を受取ると開栓を行うことにより、熱量転換やガス遮断装置の設置・交換
等のように現在使用中のガス種と異なる気体が混合する時に不均一なガス層が出来て、超音波の伝搬がガスが均一になっている時と異なる伝搬をして測定条件想定外の流量を検出し、流量異常やセンサ異常と誤判定をして閉栓した時であっても、一定時間以内であれば誤判定を解除許可して、ガスを再使用可能にできる。このことで、熱量転換やガス遮断装置の設置・交換等の工事中に流量異常やセンサ異常と誤判定が発生した場合であっても工事作業者が解除入力を行うことで工事を継続することができる。また、真に流量異常やセンサ異常が発生した場合には工事作業者が介さないために解除入力を受付けることはなく、異常判定後の一定時間以降に解除入力を受付けても流量異常やセンサ異常は解除されないのでガス遮断装置の安全性は確保される。
【００１５】
また、閉栓計時部１４の予め設定する解除入力を受付け可能な時間を外部より変更可能にすることにより、ガス遮断装置を製造した後に、熱量転換やガス遮断装置の設置・交換等の工事時間に見合った適切な時間に変更が可能となる。このことで熱量転換やガス遮断装置の設置・交換等の工事中に流量異常やセンサ異常の誤判定を解除ができない事例が発生した場合は、設定値を長くすることでこの種の問題を低減できる。また、解除入力を受付け可能な時間を必要以上に長く設定しなくても良くなり、真に流量異常やセンサ異常が発生した場合の異常判定についても早期に判断可能となり、ガス遮断装置の安全性は向上する。
【００１６】
また、閉栓計時部１４の解除入力を予め定めた受付け可能な時間内にかつ、解除入力の受付け回数が予め定めた設定回数より少ない時にのみ受付け可能とすることにより、真に流量異常やセンサ異常が発生している場合は、異常判定を解除しても何度も異常判定を繰返すことから、予め定めた設定回数より少ない時にのみ解除入力を受付けることで早期に異常判断することが可能となり、ガス遮断装置の安全性は向上する。
【００１７】
また、閉栓計時部１４の予め設定する解除入力の受付け回数を外部より変更可能とすることにより、ガス遮断装置を製造した後に、熱量転換やガス遮断装置の設置・交換等の工事に見合った適切な解除入力の受付け回数に変更が可能となる。このことで熱量転換やガス遮断装置の設置・交換等の工事中に流量異常やセンサ異常の誤判定を解除ができない事例が発生した場合は、設定値を多くすることでこの種の問題を低減できる。また、解除入力の受付け回数を必要以上にしなくても良く、真に流量異常やセンサ異常が発生した場合の異常判定についても早期に判断可能となり、ガス遮断装置の安全性は向上する。
【００１８】
また、閉栓計時部１４の解除入力を受付けて弁開信号を出力したことを表示信号Ｆとして表示部１８で表示することにより、この表示を工事業者等が見ると流量異常やセンサ異常が発生したことや解除入力を受付けて開栓していること、解除入力を受付けた回数等が認知できる。このことで、閉栓が誤判定で発生しているのか、真に流量異常やセンサ異常が原因で発生しているのか、流量異常やセンサ異常以外で発生しているのか等を工事業者等が判断することが可能となる。
【００１９】
また、解除入力を受付けて弁開信号を出力した情報を電話回線などの通信回線網を通してガス供給業者の報知装置（図示しない）などガス遮断装置の外部に出力することにより、この情報を知ることで流量異常やセンサ異常が発生したことや解除入力を受付けて開栓していること、解除入力を受付けた回数等をリアルタイムで知ることが可能となる。このことで工事に立ち会っていなくても閉栓が誤判定で発生しているのか、真に流量異常やセンサ異常が原因で発生しているのか、流量異常やセンサ異常以外で発生しているのか等を判断することが可能となる。
【産業上の利用可能性】
【００２０】
以上のように本発明にかかるガス遮断装置はガスのみならず、水道等の流体の遮断装置
として利用可能である。
【図面の簡単な説明】
【００２１】
【図１】本発明の実施例１のガス遮断装置の制御ブロック図
【図２】従来のガス遮断装置の制御ブロック図
【符号の説明】
【００２２】
９  流量検出部
１０  流量算出部
１１  異常流量判定部
１２  弁駆動部
１３  弁
１４  閉栓計時部
１５  センサ異常判定部
１６  積算部
１７  復帰入力部
１８  表示部
【図１】
2010145030.tif 000003
【図２】
2010145030.tif 000004